(57)【特許請求の範囲】
【請求項１】
ＭＩＭＯ方式に対応する移動局装置との通信を行う基地局装置であって、
前記移動局装置との間で形成される空間ストリームの数を特定する空間ストリーム数特定手段と、
当該基地局装置による通信で使用される複数の無線チャネルの少なくとも一部を、前記空間ストリーム数特定手段により特定される数の空間ストリームを形成する通信チャネルと特定する通信チャネル特定手段と、
前記空間ストリーム数特定手段により特定される前記空間ストリームの数と、前記通信チャネル特定手段により特定される前記通信チャネルを示す情報と、を含む単一の制御情報を前記移動局装置に送信する制御情報送信手段と、
前記複数の無線チャネルのそれぞれについて該無線チャネルで形成可能な最大の空間ストリームの数を特定する最大空間ストリーム数特定手段と、
を有し、
前記通信チャネル特定手段は、前記複数の無線チャネルのうち、前記最大空間ストリーム数特定手段により特定される最大の空間ストリームの数が前記空間ストリーム数特定手段により特定される前記空間ストリームの数以上である無線チャネルを、前記通信チャネルと特定することを特徴とする基地局装置。
【請求項２】
ＭＩＭＯ方式に対応する移動局装置との通信を行う基地局装置であって、
前記移動局装置との間で形成される空間ストリームの数を特定する空間ストリーム数特定手段と、
当該基地局装置による通信で使用される複数の無線チャネルの少なくとも一部を、前記空間ストリーム数特定手段により特定される数の空間ストリームを形成する通信チャネルと特定する通信チャネル特定手段と、
前記空間ストリーム数特定手段により特定される前記空間ストリームの数と、前記通信チャネル特定手段により特定される前記通信チャネルを示す情報と、を含む単一の制御情報を前記移動局装置に送信する制御情報送信手段と、
前記複数の無線チャネルのそれぞれについて該無線チャネルで形成可能な最大の空間ストリームの数を特定する最大空間ストリーム数特定手段と、
を有し、
前記複数の無線チャネルのそれぞれは、時間で規定されるフレームがさらに時分割されたタイムスロットにより規定され、
前記最大空間ストリーム数特定手段は、前記タイムスロット毎に前記最大の空間ストリームの数を特定し、
前記通信チャネル特定手段は、前記タイムスロット毎に前記通信チャネルを特定し、
前記制御情報送信手段は、フレーム毎に、
該フレームに含まれる前記タイムスロットのそれぞれについて前記空間ストリーム数特定手段により特定される前記空間ストリームの数を示す情報と、
該フレームに含まれる前記タイムスロットのそれぞれについて前記通信チャネル特定手段により特定される前記通信チャネルを示す情報と、
を含む単一の制御情報を送信することを特徴とする基地局装置。
【請求項３】
ＭＩＭＯ方式に対応する移動局装置との通信を行う基地局装置における通信制御方法であって、
当該基地局装置による通信で使用される複数の無線チャネルのそれぞれについて該無線チャネルで形成可能な最大の空間ストリームの数を特定する最大空間ストリーム数特定ステップと、
前記移動局装置との間で形成される空間ストリームの数を特定する空間ストリーム数特定ステップと、
前記複数の無線チャネルの少なくとも一部を、前記空間ストリーム数特定ステップにおいて特定される数の空間ストリームを形成する通信チャネルと特定する通信チャネル特定ステップと、
前記空間ストリーム数特定ステップにおいて特定される前記空間ストリームの数と、前記通信チャネル特定ステップにおいて特定される前記通信チャネルを示す情報と、を含む単一の制御情報を前記移動局装置に送信する制御情報送信ステップと、
を有し、
前記通信チャネル特定ステップにおいて、前記複数の無線チャネルのうち、前記最大空間ストリーム数特定ステップにおいて特定される最大の空間ストリームの数が前記空間ストリーム数特定ステップにおいて特定される前記空間ストリームの数以上である無線チャネルを、前記通信チャネルと特定することを特徴とする通信制御方法。
【請求項４】
ＭＩＭＯ方式に対応する移動局装置との通信を行う基地局装置における通信制御方法であって、
当該基地局装置による通信で使用される複数の無線チャネルのそれぞれについて該無線チャネルで形成可能な最大の空間ストリームの数を特定する最大空間ストリーム数特定ステップと、
前記移動局装置との間で形成される空間ストリームの数を特定する空間ストリーム数特定ステップと、
前記複数の無線チャネルの少なくとも一部を、前記空間ストリーム数特定ステップにおいて特定される数の空間ストリームを形成する通信チャネルと特定する通信チャネル特定ステップと、
前記空間ストリーム数特定ステップにおいて特定される前記空間ストリームの数と、前記通信チャネル特定ステップにおいて特定される前記通信チャネルを示す情報と、を含む単一の制御情報を前記移動局装置に送信する制御情報送信ステップと、
を有し、
前記複数の無線チャネルのそれぞれは、時間で規定されるフレームがさらに時分割されたタイムスロットにより規定され、
前記最大空間ストリーム数特定ステップにおいて、前記タイムスロット毎に前記最大の空間ストリームの数を特定し、
前記通信チャネル特定ステップにおいて、前記タイムスロット毎に前記通信チャネルを特定し、
前記制御情報送信ステップにおいて、フレーム毎に、
該フレームに含まれる前記タイムスロットのそれぞれについて前記空間ストリーム数特定ステップにおいて特定される前記空間ストリームの数を示す情報と、
該フレームに含まれる前記タイムスロットのそれぞれについて前記通信チャネル特定ステップにおいて特定される前記通信チャネルを示す情報と、
を含む単一の制御情報を送信することを特徴とする通信制御方法。
【発明の詳細な説明】
【技術分野】
【０００１】
本発明は、基地局装置及び基地局装置の通信制御方法に関する。
【背景技術】
【０００２】
移動体通信システムにおける基地局装置は、周波数及び時間等で規定される無線チャネルのそれぞれの通信品質に基づいて、当該無線チャネルの一部を、移動局装置との通信に使用される通信チャネルに割り当てる。そして、基地局装置は割り当てられた通信チャネルを移動局装置に通知する。この様な移動体通信システムの規格として、例えば非特許文献１には次世代ＰＨＳ規格が開示されている。
【先行技術文献】
【非特許文献】
【０００３】
【非特許文献１】“ARIBSTD-T95「OFDMA/TDMA TDDBroadband Wireless Access System (Next Generation PHS) ARIB STANDARD」1.2版”、平成２１年３月１８日、社団法人電波産業会
【発明の概要】
【発明が解決しようとする課題】
【０００４】
現在、ＳＭ（Spatial Multiplexing：空間多重）方式やＳＤＭ（Spatial Division Multiplexing：空間分割多重）方式といったＭＩＭＯ（Multi Input Multi Output）方式を移動体通信システムに用いる技術が検討されている。このＭＩＭＯ方式による通信により、基地局装置と移動局装置との間の無線空間において空間ストリームが形成され、通信チャネルあたりの伝送容量を増加させることができる。
【０００５】
このとき、基地局装置は、通信に割り当てられる通信チャネルに加えて、当該通信チャネルで形成される空間ストリームの数を移動局装置に通知する必要がある。そのため、割り当てられる通信チャネルのみを通知する現行の情報よりも、情報量が増加することになる、しかしながら、次世代ＰＨＳ規格等に準拠する移動体通信システムでは、割り当てられる通信チャネルと、当該通信チャネルで形成される空間ストリームの数と、を基地局装置が移動局装置に通知する際の情報量を小さく抑える対応がなされていない。
【０００６】
本発明の目的の一つは、ＭＩＭＯ方式に対応する移動局装置と通信を行う基地局装置及び基地局装置の制御方法であって、通信に割り当てられる通信チャネルと、当該通信チャネルで形成される空間ストリームの数と、を通知するための情報量が小さく抑えられる、基地局装置及び基地局装置の通信制御方法を提供することにある。
【課題を解決するための手段】
【０００７】
上記目的を達成するために、本発明に係る基地局装置は、ＭＩＭＯ方式に対応する移動局装置との通信を行う基地局装置であって、前記移動局装置との間で形成される空間ストリームの数を特定する空間ストリーム数特定手段と、当該基地局装置による通信で使用される複数の無線チャネルの少なくとも一部を、前記空間ストリーム数特定手段により特定される数の空間ストリームを形成する通信チャネルと特定する通信チャネル特定手段と、前記空間ストリーム数特定手段により特定される前記空間ストリームの数と、前記通信チャネル特定手段により特定される前記通信チャネルを示す情報と、を含む単一の制御情報を前記移動局装置に送信する制御情報送信手段と、を有する。
【０００８】
本発明によれば、通信に割り当てられる通信チャネルと、該通信チャネルで形成される空間ストリームの数と、を移動局装置に通知するための情報量が、小さく抑えられる。
【０００９】
また、本発明の一態様では、基地局装置は、前記複数の無線チャネルのそれぞれについて該無線チャネルで形成可能な最大の空間ストリームの数を特定する最大空間ストリーム数特定手段をさらに有し、前記通信チャネル特定手段は、前記複数の無線チャネルのうち、前記最大空間ストリーム数特定手段により特定される最大の空間ストリームの数が前記空間ストリーム数特定手段により特定される前記空間ストリームの数以上である無線チャネルを、前記通信チャネルと特定する。
【００１０】
この態様によれば、最大の空間ストリームの数が、空間ストリーム数特定手段により特定される空間ストリームの数以上である無線チャネルが、通信チャネルと特定される。
【００１１】
また、本発明の一態様では、前記複数の無線チャネルのそれぞれは、時間で規定されるフレームがさらに時分割されたタイムスロットにより規定され、前記最大空間ストリーム数特定手段は、前記タイムスロット毎に前記最大の空間ストリームの数を特定し、前記通信チャネル特定手段は、前記タイムスロット毎に前記通信チャネルを特定し、前記制御情報送信手段は、フレーム毎に、該フレームに含まれる前記タイムスロットのそれぞれについて前記空間ストリーム数特定手段により特定される前記空間ストリームの数を示す情報と、該フレームに含まれる前記タイムスロットのそれぞれについて前記通信チャネル特定手段により特定される前記通信チャネルを示す情報と、を含む単一の制御情報を送信する。
【００１２】
この態様によれば、タイムスロット毎に特定された空間ストリームの数及び通信チャネルを移動局装置に通知するための情報量が、小さく抑えられる。
【００１３】
また、本発明に係る基地局装置の通信制御方法は、ＭＩＭＯ方式に対応する移動局装置との通信を行う基地局装置における通信制御方法であって、前記移動局装置との間で形成される空間ストリームの数を特定する空間ストリーム数特定ステップと、当該基地局装置による通信で使用される複数の無線チャネルの少なくとも一部を、前記空間ストリーム数特定ステップにおいて特定される数の空間ストリームを形成する通信チャネルと特定する通信チャネル特定ステップと、前記空間ストリーム数特定ステップにおいて特定される前記空間ストリームの数と、前記通信チャネル特定ステップにおいて特定される前記通信チャネルを示す情報と、を含む単一の制御情報を前記移動局装置に送信する制御情報送信ステップと、を有する。
【図面の簡単な説明】
【００１４】
【図１】本実施形態に係る基地局装置を含む移動体通信システムを示す図である。
【図２】本実施形態に係る基地局装置を含む移動体通信システムにおける無線チャネル構成を示す図である。
【図３】本実施形態に係るストリームスレッシュレベルの概念を示す図である。
【図４】各ＰＲＵにおける空間ストリーム数の特定結果の一例の一部を示す図である。
【図５】本実施形態に係るＰＨＹヘッダの構成を示す図である。
【図６】本実施形態に係る基地局装置の通信制御動作を示すフローチャートである。
【発明を実施するための形態】
【００１５】
以下、本発明を実施するための好適な実施の形態（以下、実施形態という）について、図面に基づき詳細に説明する。
【００１６】
図１は、本実施形態に係る基地局装置１００を含む移動体通信システム３００を示す図である。基地局装置１００は、移動局装置２００と通信を行う。
【００１７】
基地局装置１００及び移動局装置２００は、ＯＦＤＭＡ（Orthogonal Frequency Division Multiple Access：直交周波数分割多重）およびＴＤＭＡ（Time Division Multiple Access：時分割多重）方式による通信を行う。
【００１８】
また、移動体通信システム３００において、基地局装置１００は、ＳＭやＳＤＭ等のＭＩＭＯ方式による通信（以下、ＭＩＭＯ通信と記載する）を、ＭＩＭＯ通信に対応する移動局装置２００と行うことができる。なお、基地局装置１００は、ＭＩＭＯ通信に対応していない移動局装置とは、ＭＩＭＯ通信を行わない。
【００１９】
基地局装置１００は複数のアンテナ１８０，１８２，１８４，１８６を有する。移動局装置２００は複数のアンテナを有し、ＭＩＭＯ通信に対応する。基地局装置１００は、移動局装置２００と、ＭＩＭＯ通信を行う。ＭＩＭＯ通信では、送信側の装置（基地局装置１００）は、送信データを分割して複数の分割データを生成し、これら分割データを、分割データと同数の送信信号を用いて同時に送信する。受信側の装置（移動局装置２００）は、送信された分割データを受信し、これらの分割データを結合して受信データを生成する。ＭＩＭＯ通信においては１つの送信信号が伝搬する伝搬路を空間ストリームと呼び、各空間ストリームにおける伝送速度が等しい場合、送信される伝送速度の最大値は、（１つの空間ストリームにおける伝送速度）×（空間ストリーム数）と表現される。なお、基地局装置１００と移動局装置２００との間においては、形成可能な空間ストリームの数は１，２，４のいずれかである。
【００２０】
本実施形態では、基地局装置１００は、移動局装置２００と、ＳＭ（Spatial Multiplexing:空間多重）方式によるＭＩＭＯ通信を行うものとする。ＳＭ方式とは、受信側の装置において複数の信号が重畳された信号を受信し、受信した信号から所望の信号を分離、合成して抽出することで、空間を分割することなく信号の多重化を実現する方式である。
【００２１】
図２は、基地局装置１００を含む移動体通信システム３００における無線チャネル構成を示す図である。移動体通信システム３００では、所定時間幅のＴＤＭＡフレーム（５ｍｓ）が上りサブフレーム（２．５ｍｓ）と下りサブフレーム（２．５ｍｓ）とに区分され、図２に示すように、さらに各サブフレームは、それぞれ複数のタイムスロット（ここではＳｃｈ１〜Ｓｃｈ１８）が規定されている。基地局装置１００が移動局装置２００に割り当てる無線チャネルの最小単位はＰＲＵ（Physical resource Unit）と呼ばれ、各ＰＲＵは、タイムスロット（Ｓｌｏｔ１〜Ｓｌｏt４）のいずれかと、サブチャネル（ここではＳｃｈ１〜Ｓｃｈ１８）のいずれかと、に属する。そして、全７２のＰＲＵは、１から始まる連続するＰＲＵ番号（１，２，３，…，７２）で識別されるよう定められている。
【００２２】
これら７２のＰＲＵのうち、特定のサブチャネル（ここではＳｃｈ１）に属する４つのＰＲＵ（ＰＲＵ１〜ＰＲＵ４）については、１以上の移動局装置２００に共用されるＣＣＨ（Common Channel：共通チャネル）として用いられる。一方、他の６８のＰＲＵ（ＰＲＵ５〜ＰＲＵ７２）については、各移動局装置２００に個別に割り当てられるＩＣＨ（Individual Channel：個別チャネル）として用いられる。ＩＣＨには、各移動局装置２００に原則１つ割り当てられ制御情報の伝送に用いられるＡＮＣＨ（Anchor Channel）、各移動局装置２００に通信チャネルとして１つ以上割り当てられ主に通信データの伝送に用いられるＥＸＣＨ（Extra Channel）等が含まれる、なお、基地局装置１００は、移動局装置２００にＩＣＨとして割り当てるＰＲＵ（特にＥＸＣＨ）を１フレーム毎に変更することができる。
【００２３】
基地局装置１００は、制御部１２０、変復調部１４０、送受信部１６０、及びアンテナ１８０，１８２，１８４，１８６を含む。
【００２４】
制御部１２０はＣＰＵの一機能として実現され、基地局装置１００の動作を制御する。制御部１２０は、メッセージ解析部１２２、キャリアセンス部１２４、空間ストリーム数特定部１２６、割り当てＰＲＵ特定部１２８、及びメッセージ生成部１３０を含む。そして制御部１２０は、基地局装置１００が移動局装置２００との通信で使用されるＰＲＵ（割り当てＰＲＵ）及び割り当てＰＲＵにより形成される空間ストリームの数を特定し、割り当てＰＲＵ及び空間ストリームの数を示すＰＨＹヘッダを変復調部１４０、送受信部１６０を介して送信する。制御部１２０の詳細は後述する。
【００２５】
変復調部１４０はＣＰＵ等からなり、制御部１２０から入力される送信データに対しシンボルマッピング、直並列変換、逆離散フーリエ変換、及び並直列変換等の処理を行い、生成されるデジタル信号を送受信部１６０に出力する。また、変復調部１４０は、送受信部１６０から入力されるデジタル信号に対し直並列変換、離散フーリエ変換、及び並直列変換、復号処理等の処理を行い、生成される受信データを制御部１２０に出力する。
【００２６】
送受信部１６０は半導体回路からなり、変復調部１４０から入力される信号に対しＤ／Ａ変換処理、アップコンバート処理、及び増幅処理等を行いアンテナ１８０，１８２，１８４，１８６へそれぞれ出力する。また、送受信部１６０は、アンテナ１８０，１８２，１８４，１８６からそれぞれ入力される信号に対し増幅処理、ダウンコンバート処理、及びＡ／Ｄ変換処理等を行い、変復調部１４０へ出力する。
【００２７】
アンテナ１８０，１８２，１８４，１８６は、送受信部１６０からそれぞれ入力される信号を電波として送信する。また、アンテナ１８０，１８２，１８４，１８６は、電波を受信して送受信部１６０へそれぞれ出力する。
【００２８】
制御部１２０の動作を以下に詳細に述べる。制御部１２０のメッセージ解析部１２２は、変復調部１４０から入力される受信データから、ＰＲＵの割り当てを要求する所定の信号（ＰＲＵ割り当て要求）を検出する。メッセージ解析部１２２は、ＰＲＵ割り当て要求を検出すると、制御部１２０のキャリアセンス部１２４に対しキャリアセンス実行要求を出力し、空間ストリーム数特定部１２６に対し空間ストリーム数特定要求を出力する。
【００２９】
制御部１２０のキャリアセンス部１２４は、メッセージ解析部１２２からキャリアセンス実行要求が入力されると、ＰＲＵのそれぞれにおける干渉が生じる可能性のある信号の信号電力を検出し、検出結果（キャリアセンス結果）を空間ストリーム数特定部１２６及び割り当てＰＲＵ特定部１２８に出力する。
【００３０】
制御部１２０の空間ストリーム数特定部１２６は、メッセージ解析部１２２からの空間ストリーム数特定要求及びキャリアセンス部１２４からのキャリアセンス結果を取得すると、キャリアセンス結果、移動局装置２００のＭＩＭＯ通信への対応の有無、通信状況（ＳＮＲ、ＲＳＳＩ等）、ユーザークラス及びＱｏＳ、ＰＦ（Proportional Fairness）値を基に、移動局装置２００との通信に用いられる空間ストリームの数（空間ストリーム数）を特定する。
【００３１】
具体的には、空間ストリーム数特定部１２６は、まず、移動局装置２００のＭＩＭＯ通信への対応の有無を把握するのに、例えば移動局装置２００のプロトコルレベルから、移動局装置２００が複数の空間ストリームによるＭＩＭＯ通信が可能な装置か判断する。このプロトコルレベルとは、移動局装置２００が準拠しているプロトコルバージョンを示しており、移動局装置２００との通信開始時に移動局装置２００から通知されるものとする。
【００３２】
このとき、移動局装置２００が複数の空間ストリームによるＭＩＭＯ通信に対応していないことを示すプロトコルバージョン１準拠であれば空間ストリーム数特定部１２６は空間ストリーム数を１と特定する。
【００３３】
一方、移動局装置２００が複数の空間ストリームによるＭＩＭＯ通信に対応していることを示すプロトコルバージョン２準拠であれば、空間ストリーム数特定部１２６は、キャリアセンス部１２４で検出された信号品質から、それぞれのＰＲＵについて、該ＰＲＵで送信される最大の空間ストリーム数を特定する。
【００３４】
ＰＲＵにおける最大の空間ストリーム数を特定する基準として、第１ストリームスレッシュレベル〜第４ストリームスレッシュレベルがパラメータとして予め設定される。ＰＲＵにおいて検出される干渉が生じる可能性のある信号の信号電力が小さいほど、該ＰＲＵで形成される空間ストリームの数は大きくなり、第１ストリームスレッシュレベル〜第３ストリームスレッシュレベルは形成される空間ストリームの数が変化する信号電力の閾値を示す値である。図３は、本実施形態に係るストリームスレッシュレベルの概念を示す図である。例えば第３ストリームスレッシュレベルより大きく第２ストリームスレッシュレベル以下の信号電力が検出されたＰＲＵは、最大２つの空間ストリームが形成可能と判断される。図４は、各ＰＲＵにおける空間ストリーム数（ｓｔｒ）の特定結果の一例の一部を示す図である。
【００３５】
次に、空間ストリーム数特定部１２６は、各ＰＲＵについて特定された最大の空間ストリーム数に基づいて、移動局装置２００との通信に用いられる空間ストリームの数を特定する。ＳＭ方式によるＭＩＭＯ通信を行う基地局装置１００では、通信に使用される全てのＰＲＵにおける空間ストリームの数が同一になる。すなわち、空間ストリーム数をある特定の値に固定すると、最大の空間ストリーム数がこの特定の値以上であるＰＲＵが通信に割り当てられ、割り当てられたＰＲＵの全てにおいて、この特定の数の空間ストリームによる通信が実行される。例えば図４に示す特定結果が得られている場合、空間ストリーム数が１で、ＰＲＵ１〜３及び５〜１２を使用する通信、空間ストリーム数が２で、ＰＲＵ１，２，５，６，７，９，１０，１１を使用する通信、空間ストリーム数が４で、ＰＲＵ５，９を使用する通信のいずれかが実行される。これらの中から、空間ストリーム数特定部１２６は、通信状況（ＳＮＲ、ＲＳＳＩ等）、ユーザークラス、ＱｏＳ（Quality of Service）、及びＰＦ（Proportional Fairness）値等を基に、実際に通信において形成される空間ストリーム数及びＰＲＵを決定する。ユーザークラスとは、移動局装置２００に対して設定されているサービス内容で、ユーザークラスから最大伝送速度が決定される。ＱｏＳとは、送信されるデータの種類を基に優先順位を付けたＰＲＵの割り当て方法である。ＰＦ値とは、基地局装置１００と通信を行う、移動局装置２００を含む複数の移動局装置間でＰＲＵの割り当ての偏りを示す数値である。これらを考慮して、空間ストリーム数特定部１２６は、移動局装置２００との通信において形成される空間ストリームの数を特定し、割り当てＰＲＵ特定部１２８及びメッセージ生成部１３０に出力する。
【００３６】
制御部１２０の割り当てＰＲＵ特定部１２８は、キャリアセンス部１２４におけるキャリアセンス結果及び空間ストリーム数特定部１２６により特定された空間ストリーム数を基に、ＰＲＵの少なくとも一部を、空間ストリーム数特定部１２６により特定された数（空間ストリーム数）の空間ストリームでの送信に使用される割り当てＰＲＵ（通信チャネル）と特定し、特定結果をメッセージ生成部１３０に出力する。
【００３７】
キャリアセンス結果及び空間ストリーム数からの割り当てＰＲＵの特定は、前述した空間ストリーム数特定部１２６における各空間ストリーム数に対するＰＲＵの特定と同様に行われる。すなわち、最大の空間ストリーム数が、空間ストリーム数特定部１２６により特定された空間ストリーム数以上であるＰＲＵが割り当てＰＲＵと特定される。
【００３８】
制御部１２０のメッセージ生成部１３０は、空間ストリーム数特定部１２６で特定される空間ストリーム数を示す情報と、割り当てＰＲＵ特定部１２８で特定される割り当てＰＲＵを示す情報と、を含むＰＨＹヘッダを生成し、制御チャネルであるＡＮＣＨで送信されるデータに組み込んで変復調部１４０に出力することで、ＰＨＹヘッダを移動局装置２００に送信する。ＡＮＣＨは各空間ストリームに対して共通して送られる単一の制御チャネルであり、ＰＨＹヘッダも各空間ストリームに対して共通して送信される単一の制御情報である。
【００３９】
図５は、本実施形態に係るＰＨＹヘッダの構成を示す図である。図５において、括弧で示される数値は各データのビット数を示す。ＰＨＹヘッダにおいて、ＭＡＰはＰＲＵのそれぞれの割り当てを示す領域であり、ＳＴは空間ストリーム数を示す領域である。ＭＡＰではそれぞれのビットが１つのＰＲＵの割り当ての有無を示し（割り当て有り：１、割り当て無し：０）、ＭＡＰ領域はＰＲＵの個数と同数のビットからなる。ＳＴは２ビットからなり、“００”は空間ストリーム数が１であることを、“０１”は空間ストリーム数が２であることを、“１０”は空間ストリーム数が４であることを、それぞれ示す。
【００４０】
メッセージ生成部１３０は、ＰＨＹヘッダのＭＡＰ及びＳＴを、空間ストリーム数特定部１２６により特定された空間ストリーム数と、割り当てＰＲＵ特定部１２８により特定された割り当てＰＲＵと、を基に生成する。そして、メッセージ生成部１３０は、生成されたＰＨＹヘッダを変復調部１４０に出力することで、移動局装置２００に送信する。
【００４１】
次に、基地局装置１００の通信制御動作をフローチャートを用いて説明する。図６は、本実施形態に係る基地局装置１００の通信制御動作を示すフローチャートである。
【００４２】
まず、基地局装置１００のメッセージ解析部１２２は、移動局装置２００から受信されたデータからＰＲＵ割り当て要求を検出すると（Ｓ６００）、キャリアセンス部１２４にキャリアセンス実行要求を出力し、空間ストリーム数特定部１２６に空間ストリーム数特定要求を出力する（Ｓ６０１）。キャリアセンスの結果は後述するＳ６０３及びＳ６０５において使用されるため、キャリアセンス部１２４は、それまでにキャリアセンスを実行する。
【００４３】
次に、空間ストリーム数特定部１２６は、移動局装置２００のプロトコルバージョンが２であるか確認する（Ｓ６０２）。
【００４４】
Ｓ６０２において移動局装置２００のプロトコルバージョンが２である場合、空間ストリーム数特定部１２６は、キャリアセンス部１２４によるキャリアセンス処理の結果に基づいて空間ストリーム数を特定する（Ｓ６０３）。Ｓ６０２において移動局装置２００のプロトコルバージョンが２ではない場合、空間ストリーム数特定部１２６は、空間ストリーム数を１と特定する（Ｓ６０４）。
【００４５】
次に、割り当てＰＲＵ特定部１２８は、空間ストリーム数特定部１２６において特定された空間ストリーム数及びキャリアセンス部１２４におけるキャリアセンス処理の結果等を基に、移動局装置２００との通信へのＰＲＵの割り当てを行う（Ｓ６０５）。
【００４６】
次に、メッセージ生成部１３０は、空間ストリーム数特定部１２６により特定された空間ストリーム数を示すＳＴ及び割り当てＰＲＵ特定部１２８により特定されたＰＲＵを示すＭＡＰを含むＰＨＹヘッダを生成する（Ｓ６０６）。
【００４７】
次に、メッセージ生成部１３０は、Ｓ６０６で生成されたＰＨＹヘッダを含む、ＡＮＣＨにおける送信データを変復調部１４０に出力することで、ＰＨＹヘッダを移動局装置２００に送信する（Ｓ６０７）。以上で基地局装置１００の通信制御動作は終了する。
【００４８】
以上の構成により、ＭＩＭＯ方式に対応する移動局装置と通信を行う基地局装置において、通信に割り当てられる通信チャネルと、当該通信チャネルで形成される空間ストリームの数と、を通知するための情報量が、空間ストリームのそれぞれについて通信チャネルを通知する場合より小さく抑えられる。
【００４９】
なお、上記実施形態ではＳＭ方式によるＭＩＭＯ通信を行う基地局装置１００の例が示されたが、本発明はこれに限定されず、例えばＳＤＭＡ方式によるＭＩＭＯ通信を行う基地局装置にも適用可能である。
【００５０】
また、上記実施形態では、割り当てＰＲＵ特定部１２８が、キャリアセンス部１２４におけるキャリアセンス結果及び空間ストリーム数特定部１２６により特定された空間ストリーム数を基に割り当てＰＲＵを特定する構成が示されたが、本発明はこれに限定されず、ユーザークラス、ＱｏＳを利用して割り当てＰＲＵを特定する構成としてもよい。
【００５１】
また、上記実施形態ではキャリアセンス結果等を基に通信チャネル（ＰＲＵ）が決定される構成が示されたが、本発明はこれに限定されず、通信に使用される全てのＰＲＵにおける空間ストリームの数が同一である構成であれば、他の構成にも適用可能である。
【００５２】
また、上記実施形態では空間ストリーム数がフレーム毎に特定される構成が示されたが、本発明はこれに限定されず、例えばフレームがさらに分割されて規定される、それぞれが１つのＰＲＵに対応するタイムスロットのそれぞれについて、空間ストリーム数が特定される構成としてもよい。その場合、図５に示されるＰＨＹヘッダにおいて１つ設けられているＳＴが、タイムスロットの数だけ設けられる。この場合、メッセージ生成部１３０は、該ＰＨＹヘッダが対応するフレームに含まれるタイムスロットのそれぞれについて特定される空間ストリーム数を示す情報と、タイムスロットのそれぞれについて特定される割り当てＰＲＵを示す情報と、を含むＰＨＹを送信する。
【００５３】
また、上記実施形態では空間ストリームの数に関係なく同一形式のＰＨＹヘッダを生成する構成が示されたが、本発明はこれに限定されず、空間ストリームが複数である場合には上記実施形態に示す形式にＰＨＹヘッダを生成し、空間ストリームが単一である場合にはＭＡＰのみを含む（ＳＴを含まない）ＰＨＹヘッダを生成する構成としてもよい。
【符号の説明】
【００５４】
１００  基地局装置、１２０  制御部、１２２  メッセージ解析部、１２４  キャリアセンス部、１２６  空間ストリーム数特定部、１２８  割り当てＰＲＵ特定部、１３０  メッセージ生成部、１４０  変復調部、１６０  送受信部、１８０，１８２，１８４，１８６  アンテナ、２００  移動局装置、３００  移動体通信システム。
【図１】
0005430306.tif 000002
【図２】
0005430306.tif 000003
【図３】
0005430306.tif 000004
【図４】
0005430306.tif 000005
【図５】
0005430306.tif 000006
【図６】
0005430306.tif 000007